(57)【要約】    【課題】本発明は、パソコンそのものを必要とせず、老若男女、初心者熟練者を問わず、キー操作の練習を長期間持続させるのに足る趣向が凝らされ、かつ、操作が簡単で、高齢者にとっては痴呆防止や回復の一助となると共にパソコンの習熟に繋がり、しかも、複雑な電子機器等を必要とせず安価に製造できるタイピング練習用キーボードを提供することを目的とする。    【解決手段】本発明に係るタイピング練習用キーボードＡは、パーソナルコンピュータ等のキーボードのキー配列と同一の配列に練習用キーグループｄを配し、複数個のキーを１グループとして個々のグループ単位ｄ１〜ｄ８で個別電源スイッチである選択キーグループに属するキーｅ１〜ｅ８を設け、キーｅ１〜ｅ８をＯＮにすると、そのキーｅ１〜ｅ８により作動するグループｄ１〜ｄ８に属する複数個のキーが全て点灯し、点灯したキーを押すと、押したキー毎に消灯するように構成したことを特徴とするものである。    【選択図】        図１
2006178239.tif 000002
【特許請求の範囲】
【請求項１】
パーソナルコンピュータ等のキーボードのキー配列と同一の配列にキーを配し、
複数個のキーを１グループとして個々のグループ単位で個別電源スイッチを設け、
個別電源スイッチをＯＮにすると、その個別電源スイッチにより作動するグループに属する複数個のキーが全て点灯し、点灯したキーを押すと押したキー毎に消灯するように構成した、
ことを特徴とするタイピング練習用キーボード。
【請求項２】
個別電源スイッチをＯＮにして、その個別電源スイッチにより作動するグループに属する複数個のキー以外のキーを押すと音を発するように構成した、
ことを特徴とする請求項１に記載のタイピング練習用キーボード。
【請求項３】
パーソナルコンピュータ等のキーボードのキー配列と同一の配列にキーを配し、
複数個のキーを１グループとして個々のグループ単位で個別電源スイッチを設け、
個別電源スイッチをＯＮにすると、その個別電源スイッチにより作動するグループに属する複数個のキーを押すと音を発するように構成した、
ことを特徴とするタイピング練習用キーボード。
【発明の詳細な説明】
【技術分野】
【０００１】
本発明は、パーソナルコンピュータ（以下、単に「パソコン」という）、ワードプロセッサ、タイプライタ等のキーボードのタイピングの練習に使用するタイピング練習用キーボードに関する。
【背景技術】
【０００２】
近年、企業だけではなく、学校、家庭などにおいてもパソコンが著しく普及し、アプリケーションソフトの充実、付属機器の種類の増加等により、益々その利用度が高まってきている現状にある。しかも、中高年の人も仕事上あるいは家庭内でパソコンを使用する必要に迫られているのが実情である。
【０００３】
また、高齢者にとっても、文書の作成、ニュースや趣味等種々の情報入手、電子メールによる交信などにパソコンが便利に使用されてきている。
【０００４】
ところで、パソコンの使用において、その使用に苦痛を感じさせる原因の１つとして、キーボードのキーを打たなければならないことある。キーボードのキー配列は、ＪＩＳ等で主要なキーの配列は定められており、文字キー、数字キー、機能キー、改行キー、スペースキー及び各種記号キーからなり、そのキーの数は、文字を入力するためのものでも４０個以上になる。
【０００５】
キーボードを始めて操作する人にとって、４０個以上のキーの中から、特定の文字を記したキーを探し出すのは容易ではなく、しかも、思い通りにパソコンが動作しないこともあって、疲労と苦痛の伴う作業である。
【０００６】
そこで、このキー操作の苦痛を解消するために、種々のキーボード練習ソフトウェアーが販売されている。また、キー操作の練習のために種々の器具が提案されている。例えば、キーに異なる色彩を配して見分けることができるようにしたもの（実開平７−２０６１９号、実用新案登録第３０２５８３２号、特開平９−８１２９２号、実用新案登録第３０３２８６８号、特開平９−１６０６９８号、特開２００２−４９４５６号、特開２００２−９１６６３号）、キーに仕切を設けて指の動きを制御する方法（特開平８−３０５２７２号、特開２００２−３３０６９３号）、キーに触ることにより判別する方法（特開平９−２５８６４８号、特開平１１−８５３５９号、特開２００２−２２９７１０号、特開２００２−３７２９０７号）、キーボートの模型（実開昭６０−５４１６３号、特開２００２−９１２８８号、実用新案登録第３０８５０８８号）、その他（特開平１０−１８７０１９号、特開２００２−１４９０５１号（特許文献１）、特開２００４−２０９１７９号）がある。
【特許文献１】特開２００２−１４９０５１
【発明の開示】
【発明が解決しようとする課題】
【０００７】
しかしながら、上記のようなキーボード練習ソフトウェアーは、パソコンそのものが必要である上に、パソコンが操作できなければならい。また、上記のようなキー操作の練習具は、パソコンそのものが必要であったり、興味を持続させるには簡易すぎるものばかりであり、キーボードの練習としては、不十分なものであった。
【０００８】
そこで本発明者は、パソコンそのものを必要とせず、老若男女、初心者熟練者を問わず、キー操作の練習を長期間持続させるのに足る趣向が凝らされ、かつ、操作が簡単で、高齢者にとっては痴呆防止や回復の一助となると共にパソコンの習熟に繋がり、しかも、複雑な電子機器等を必要とせず安価に製造できるタイピング練習用キーボードを開発した。
【課題を解決するための手段】
【０００９】
本発明に係るタイピング練習用キーボードは、パーソナルコンピュータ等のキーボードのキー配列と同一の配列にキーを配し、複数個のキーを１グループとして個々のグループ単位で個別電源スイッチを設け、個別電源スイッチをＯＮにすると、その個別電源スイッチにより作動するグループに属する複数個のキーが全て点灯し、点灯したキーを押すと押したキー毎に消灯するように構成したことを特徴とするものである。
【００１０】
このように構成したことにより、点灯したキーを押して消灯させるというゲーム感覚を楽しむことができ、ゲーム感覚を楽しんでいる間にキー操作に慣れ親しみ、習熟することができる。また、両手の全ての指を目的をもって動かす運動であるから、指先をコントロールして動かすことが脳に適度の刺激を与え、痴呆の防止に役立つ。
【００１１】
また、上記の構成に加え、個別電源スイッチをＯＮにして、その個別電源スイッチにより作動するグループに属する複数個のキー以外のキーを押すと音を発するように構成してもよい。
【００１２】
上記のように構成すると、キーの操作ミスが確認できるので、さらに趣向性が向上し、キー操作をより一層上達させる。
【００１３】
さらに、本発明に係るタイピング練習用キーボードとして、パーソナルコンピュータ等のキーボードのキー配列と同一の配列にキーを配し、複数個のキーを１グループとして個々のグループ単位で個別電源スイッチを設け、個別電源スイッチをＯＮにすると、その個別電源スイッチにより作動するグループに属する複数個のキーを押すと音を発するように構成してもよい。
【００１４】
このように構成すると視力の乏しい人でも、十分に楽しめて、キー操作の練習ができる。
【発明の効果】
【００１５】
上記した本発明に係るタイピング練習用キーボードは、キー操作の練習に際して、パソコンそのものを必要としないため、パソコンがない状態でキー操作の練習ができるので便利である。また、キーを押すたびに消灯したり、音が発生する趣向が凝らされているので、老若男女、初心者熟練者を問わず、キー操作の練習を長期間持続させる効果がある。さらに、操作が簡単であるから、誰にとっても即座に馴染むことができる。さらにまた、指の運動になるため、高齢者にとっては痴呆防止や回復の一助となると共にパソコンの習熟に繋がる利点がある。しかも、複雑な電子機器等を必要とせず安価に製造できる利点がある。
【発明を実施するための最良の形態】
【００１６】
以下に、添付の図面に基づき、本発明に係るタイピング練習用キーボードの好適な実施例について詳述する。
【実施例１】
【００１７】
図１において、Ａは本実施例に係るタイピング練習用キーボード（以下、単に「キーボード」という。）を示し、キーボードＡには、主として、電気的にそれぞれ接続されている電源コードａ、主電源スイッチｂとスピーカーｃと練習キーグループｄと選択キーグループｅとから構成される。そして、電源コードａのプラグａ１を最寄りの電源に差し込み、主電源スイッチｂを押せば、キーボードＡが作動するようになっている。
【００１８】
練習キーグループｄは、一般のパソコン等のキーボードのキー配列と同一の配列にキーが配列されており、図において１点鎖線で囲まれる複数個のキーを１グループとして個々のグループ単位で個別電源スイッチが設けられており、この個別電源スイッチをＯＮにすると、その個別電源スイッチにより作動するグループに属する複数個のキーが全て点灯し、点灯したキーを押すと押したキー毎に消灯するように構成されている。この個別電源スイッチの役割は、選択キーグループｅに含まれるキーが担っている。以下、図に基づいて詳細に説明する。
【００１９】
練習キーグループｄは、図において１点鎖線で区画して示したように、左手の小指で操作する複数のキーのグループｄ１、左手の薬指で操作する複数のキーのグループｄ２、左手の中指で操作する複数のキーのグループｄ３、左手の人差し指で操作する複数のキーのグループｄ４、右手の人差し指で操作する複数のキーのグループｄ５、右手の中指で操作する複数のキーのグループｄ６、右手の薬指で操作する複数のキーのグループｄ７、右手の小指で操作する複数のキーのグループｄ８の８つのグループに電気的に区分けされている。
【００２０】
そして、グループｄ１の個別電源スイッチは、左側の小指キーｅ１が担っており、小指キーｅ１を押せば、グループｄ１に属する練習キーが全て点灯し、点灯した練習キーを押せば、押した練習キーは消灯するようになっている。グループｄ２の個別電源スイッチは、左側の薬指キーｅ２が担っており、薬指キーｅ２を押せば、グループｄ２に属する練習キーが全て点灯し、点灯した練習キーを押せば、押した練習キーは消灯するようになっている。グループｄ３の個別電源スイッチは、左側の中指キーｅ３が担っており、中指キーｅ３を押せば、グループｄ３に属する練習キーが全て点灯し、点灯した練習キーを押せば、押した練習キーは消灯するようになっている。グループｄ４の個別電源スイッチは、左側の人差指キーｅ４が担っており、人差指キーｅ４を押せば、グループｄ４に属する練習キーが全て点灯し、点灯した練習キーを押せば、押した練習キーは消灯するようになっている。グループｄ５の個別電源スイッチは、右側の人差指キーｅ５が担っており、人差指キーｅ５を押せば、グループｄ５に属する練習キーが全て点灯し、点灯した練習キーを押せば、押した練習キーは消灯するようになっている。グループｄ６の個別電源スイッチは、右側の中指キーｅ６が担っており、中指キーｅ６を押せば、グループｄ６に属する練習キーが全て点灯し、点灯した練習キーを押せば、押した練習キーは消灯するようになっている。グループｄ７の個別電源スイッチは、右側の薬指キーｅ７が担っており、薬指キーｅ７を押せば、グループｄ７に属する練習キーが全て点灯し、点灯した練習キーを押せば、押した練習キーは消灯するようになっている。グループｄ８の個別電源スイッチは、右側の小指キーｅ８が担っており、小指キーｅ８を押せば、グループｄ８に属する練習キーが全て点灯し、点灯した練習キーを押せば、押した練習キーは消灯するようになっている。
【００２１】
上記のように構成したことにより、点灯した練習キーを押して消灯させるというゲーム感覚を楽しむことができる。そして、このゲーム感覚を楽しんでいる間にキー操作に慣れ親しみ、習熟することができる。また、キー操作を行うことは、両手の全ての指を目的をもって動かす運動になることから、指先をコントロールして動かすことが脳に適度の刺激を与え、痴呆の防止に役立つ効果がある。
【００２２】
なお、本実施例においては、キーの配置を具体的に図示したが、これに限られるものではなく、種々のパソコン等に使用されるキーボードのキー配列に設計変更してもよい。また、練習キーグループｄを図示のようにグループｄ１〜ｄ８に区画したが、これに限られるものではなく、区画を拡張、減縮あるいは移動などの変更を加えてもよい。また、親指で押すキーのグループを区画して、そのグループについて個別電源スイッチとして親指キーを選択キーグループに追加してもよい。
【００２３】
選択キーグループｅにおけるリセットキーｅ９は、これを押せば選択キーグループｅに属するキーが全て押されていない初期状態に戻るようになっており、このリセットキーｅ９があれば練習をやり直す際に便利である。
【００２４】
選択キーグループｅにおける音スイッチキーｅ１０は、これを押してＯＮにし、練習キーグループｄに属する個々のキーを押すとスピーカーｃから音が発っせられるようになっている。具体的には、音スイッチキーｅ１０を押し、小指キーｅ１を押す。そうするとグループｄ１の練習キーが点灯し、点灯した練習キーを押すと、その練習キーが消灯すると共に、例えば「正解です」「当たりです」あるいは「ピンポン」等の音を発するようにする。また、グループｄ１に属していない練習キーを押すと、先の音と対称的に「不正解です」「はずれです」「ブー」等の音を発するようにする。また、グループｄ１に属する練習キーを押したときには音を発せず、属していない練習キーを押したときのみ音を発するようにしてもよい。音量キーｅ１１は音量の大小を切り換えるためのものであり、周囲の状況に合わせて音量を小さくしなければならない場合や、音量を大きくしなければ聞こえない場合などに便利である。
【００２５】
上記のように構成すると、キーの操作ミスが発生音で確認できるので、さらに趣向性が向上し、キー操作をより一層上達させる。しかも、視力の乏しい人でも、十分に楽しめて、キー操作の練習ができる。
【００２６】
なお、本実施例では、上記したように、点灯・消灯機能と音発生機能とを併用するものであるが、点灯・消灯機能だけを有する練習用キーボード又は音発生機能だけを有する練習用キーボードとしてもよい。
【図面の簡単な説明】
【００２７】
【図１】本発明の実施例１に係るタイピング練習用キーボートの平面図である。
【符号の説明】
【００２８】
Ａ・・・タイピング練習用キーボード
ａ・・・電源コード
ａ１・・プラグ
ｂ・・・主電源スイッチ
ｃ・・・スピーカー
ｄ・・・練習キーグループ
ｄ１・・左手の小指で操作する複数のキーのグループ
ｄ２・・左手の薬指で操作する複数のキーのグループ
ｄ３・・左手の中指で操作する複数のキーのグループ
ｄ４・・左手の人差し指で操作する複数のキーのグループ
ｄ５・・右手の人差し指で操作する複数のキーのグループ
ｄ６・・右手の中指で操作する複数のキーのグループ
ｄ７・・右手の薬指で操作する複数のキーのグループｄ７
ｄ８・・右手の小指で操作する複数のキーのグループ
ｅ・・・選択キーグループ
ｅ１・・左側の小指キー
ｅ２・・左側の薬指キー
ｅ３・・左側の中指キー
ｅ４・・左側の人差指キー
ｅ５・・右側の人差指キー
ｅ６・・右側の中指キー
ｅ７・・右側の薬指キー
ｅ８・・右側の小指キー
ｅ９・・リセットキー
ｅ１０・音スイッチキー
ｅ１１・音量キー
【図１】
2006178239.tif 000003